(57)【要約】  【課題】  洞道などの劣悪湿度環境下にあっても高い防浸性能を達成可能とする上、耐久性を高め、生産コストを削減し、ＬＥＤ光源の採用によって経済的に設置、利用することができ、しかもグレア対策も充分な新たな照明技術を提供する。  【解決手段】  光源ユニット３を収容した透光パイプ２の両端２０に、板状体５の内側壁５０に環状シール溝５２を刻設すると共に、同環状シール溝５２内径より内側に片支持溝５３を刻設した一対の防水蓋５を配し、各環状シール溝５２内底部に環状パッキン６を挟み込み、透光パイプ２各環状端２０を嵌合し、各片支持溝５３に光源ユニット３ベース板３０の端縁３３を組合せた上、各防水蓋５環状シール溝５２を夫々該透光パイプ２の両端２０に向けて嵌合・押圧し、各環状パッキン６を圧縮・密封状とする緊締機構７を介して締付け状装着してなる照明装置１である。【選択図】    図５
2015179567.tif 000002
【特許請求の範囲】
【請求項１】
両端が開放した透光パイプを設け、該透光パイプ内には、同透光パイプの両端間内に収まる全長寸法としたベース板表面に、ラインＬＥＤ群、同裏面にＬＥＤ用電源を搭載した光源ユニットを収容し、該透光パイプの両端には、夫々透光パイプの環状端を上回る外郭形状の一対の板状体からなり、該透光パイプの環状端に対峙する内側壁に、同透光パイプの環状端が、該透光パイプ環状端の先端に対応する環状パッキンを介在し、嵌合可能な内外径および深さに設定した環状シール溝を刻設すると共に、該環状シール溝内径より内側に、当該光源ユニットベース板の端縁を嵌合可能な片支持溝を刻設した一対の防水蓋を、同環状シール溝内底部に環状パッキンを挟み込み、同片支持溝にベース板の端縁を挿入するよう組合せた上、各防水蓋環状シール溝を夫々該透光パイプの両端に向けて嵌合・押圧し、各環状パッキンを圧縮・密封状とする緊締機構を介して締付け状装着してなるものとしたことを特徴とする照明装置。
【請求項２】
両端が開放した円筒状透光パイプを設け、該透光パイプ内には、同透光パイプの両端間内に収まる全長寸法とした平板状ベース板表面に、ラインＬＥＤ群、同裏面にＬＥＤ用電源を搭載した光源ユニットを収容し、該透光パイプの両端には、夫々透光パイプの円環状端を上回る外径とした一対の円板状体からなり、該透光パイプの円環状端に対峙する内側壁に、同透光パイプの円環状端が、該透光パイプ円環状端の先端に対応する円環状パッキンを介在し、嵌合可能な内外径および深さに設定した円環状シール溝を刻設すると共に、該円環状シール溝内径より内側に、当該光源ユニットベース板の端縁を嵌合可能な一文字状の片支持溝を略水平に刻設した一対の防水蓋を、同円環状シール溝内底部に円環状パッキンを挟み込み、同一文字状の片支持溝にベース板の端縁を伝熱可能に挿入するよう組合せた上、各防水蓋環状シール溝を夫々該透光パイプの両端に向けて嵌合・押圧し、各円環状パッキンを圧縮・密封状とする緊締機構を介して締付け状装着してなるものとしたことを特徴とする照明装置。
【請求項３】
緊締機構が、防水蓋の外側壁から同内側壁片支持溝に貫通する１個または複数個の取付け孔、各取付け孔に対応する光源ユニットベース板の端縁に穿設した１個または複数個のネジ孔、および、該防水蓋外側壁から各取付け孔を通り、ベース板端縁の各ネジ孔に螺合する１本または複数本の締付ネジからなるものとした、請求項１または２何れか一方記載の照明装置。
【請求項４】
ベース板表面に搭載するラインＬＥＤ群が、同ベース板の全長寸法方向に延伸し、同ベース板の幅寸法方向両端がわに基端を支持し、上向き先端を互いに近接するよう断面八字状に傾斜させた一対の熱伝導性角度板の各外向き先端壁に沿って搭載してなるものとした、請求項１ないし３何れか一項記載の照明装置。
【請求項５】
透光パイプが、光拡散材を混入してなる透明または半透明の合成樹脂製のものとしてなる、請求項１ないし４何れか一項記載の照明装置。
【請求項６】
各防水蓋の外側壁には、夫々熱伝導性の取付け脚を一体化し、各取付け脚のアース状接地部には、電食防止用絶縁膜を被着してなるものとした、請求項１ないし５何れか一項記載の照明装置。                                                                                                          
【発明の詳細な説明】
【技術分野】
【０００１】
この発明は、照明用灯具の防水技術に関連するものであり、特に、高湿度環境下にも防水状態を維持可能な照明灯具類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                            
【背景技術】
【０００２】
（着目点）
洞道内などの劣悪湿度環境下に設置する照明灯具類は、グレア対策など充分な照明性能を達成するだけでなく、確実な防浸性能が求められるものであり、近年は、これまで設置されてきた蛍光灯照明灯具から、より経済性に秀れたＬＥＤ（Ｌｉｇｈｔ  Ｅｍｉｔｔｉｎｇ  Ｄｉｏｄｅ）照明灯具への置き換えが進み、新旧の入れ替えによる違和感や安全性の低下などを招かない防湿型の洞道用ＬＥＤ照明灯具の提供が求められている。
【０００３】
（従来の技術）
こうした状況を反映し、その打開策となるような提案もこれまでに散見されない訳ではない。
例えば、下記の特許文献１（１）に提案されているものに代表されるように、防水部材が、少なくとも一部に透光パネルの上面に連続した面を有しており、カバーは、透光パネルの上面に連続した防水部材の面に連続した底面を有していて、両端を開口した溝部を器具本体の外縁にまで形成すると共に、該溝部に連続する防水部材を、その上方に空間を設けて覆う外郭を有し、透光パネルの上面に溜まった水が、当該溝部に沿って器具本体外部に排出されるように、透光パネルの上面は傾斜していることから、透光パネル面に雨水が溜まり、溜まった雨水の模様が照射面に出たり、ランプの熱によって雨水が蒸発して水蒸気が発生して光が妨げられること、あるいは透光パネル面が汚れることによる光量低下を防止したり、透光パネル面に雨水が溜まった状態で、ランプ点灯時から消灯時に本体内部が外部より負圧になった場合に、溜まった雨水が、本体内部へ吸い込まれて内部が浸水する危険性を低減することができるようにしたものがある。
【０００４】
さらに、同特許文献１（２）に見られるような、ケースと天井面の間、および、ケースとカバーとの間を、コ字状に形成された１本のパッキンによって塞ぎ、また、パッキンと天井面およびカバーと夫々の接触箇所の形状を、その密着性に基づき形成し、さらに、ケースの角において、曲げられたパッキンに皺が寄らない形状とし、ケースと天井面との間、およびケースとカバーとの間を１ 本のパッキンによって塞ぐことができ、したがって部品点数を減らし、また接着面も少なくなり、気密性を高めることができるようにしたものもあり、そしてまた、同特許文献１（３）のように、両端部が開放した筒状のグローブに光源ユニットを収め、グローブの両端縁の各々を閉塞部材に挿入して閉じた照明装置において、グローブの端縁と閉塞部材の間に防水パッキンを備え、防水パッキンは、グローブの端縁によって押圧変形して閉塞部材との間をシールする第１シール部と、グローブの端部の外側面と閉塞部材との間に挟まれてシールする第２シール部とを一体に備えるようにして、グローブの端縁および外側面と閉塞部材の間をシールすることができ、外側面で防水を図ると共に、外側面から浸水した場合であっても、その端縁で防水することができるため、グローブと閉塞部材との間のシール性を向上して、グローブと閉塞部材との間から照明装置内に水が浸入するのを防止し、照明装置の防水性能を向上することができるようにしたものなどが散見される。
【０００５】
しかし、前者特許文献１（１）に示されているような照明器具は、平板状の枠の開口にパッキンを介してガラスパネルを嵌め込み、防水性を確保したものとしてあるが、断面コ字型のパッキンを装着し、ガラスパネルの板厚方向に圧縮して防水性を確保するものであって、この防水構造をそのまま、蛍光灯に置き換え可能なＬＥＤ照明灯のように直管状の灯具に利用することは、非常に困難なものとなり、特許文献１（２）の照明器具のように、ケースと天井面（平面）の間、および、ケースとカバーとの間にコ字状断面形のパッキンを介在させるものも、やはり直管状の灯具にそのまま利用するのは極めて難しいものであり、また、特許文献１（３）に代表する照明装置にあっては、直管状のグローブを有しており、従来型の蛍光灯照明装置に置き換え可能なものとなっているものの、防水パッキンが、グローブ端縁と閉塞部材との間をシールする第１シール部、および、グローブ端外側面と閉塞部材との間をシールする第２シール部とを一体化したものとしなければならず、閉塞部材の溝、および溝に装着する防水パッキンの各部形状および加工精度を充分に高めたものとしなければ、溝に対して防水パッキン第２シール部の外径が大きくなり、組立が極めて困難なものとなってしまったり、反対に、溝に対して防水パッキン第２シール部の外径が小さくなり、確実な防水が得られ難くなってしまったりする虞があり、生産コストの高騰を招く虞があった。                                                                                                  
【特許文献１】（１）特開２００４−１１１２８４号公報    （２）特開２００７−２７３１４７号公報    特開２０１３−５１１９３号公報
【発明の概要】
【発明が解決しようとする課題】
【０００６】
（問題意識）
上述したとおり、従前までに提案のある各種照明装置類は、何れも平面部材同士間に断面コ字形のパッキンを介在させ、該パッキンを平面部材の板厚方向に圧縮するように加圧して防水可能としたものであり、直管型のグローブや照明用カバーなどの防水に、そのまま利用するのは非常に困難であり、また、直管状のグローブを有するものであっても、その両端に装着する防水パッキンは、形状が複雑なものとなって製造コストを高騰させてしまう虞があるなど、照明性能および防浸性能を高めた照明装置は、生産コストを削減するのが難しく、高い加工精度が求められるものとなっており、こうした未だ解決されていない課題を解決し、従来型蛍光灯利用の照明装置と同等か、それ以上の照明性能を確保すると共に長寿命化し、より低廉且つ経済的に設置、利用できるＬＥＤ利用の新たな照明装置を実現可能とするための構成につき、更なる改善の可能性を痛感するに至ったものである。
【０００７】
（発明の目的）
そこで、この発明は、洞道などの劣悪湿度環境下にあっても高い防浸性能を達成可能とする上に、耐久性を高め、生産コストを削減し、ＬＥＤ光源の採用によって経済的に設置、利用することができ、しかもグレア対策も充分な新たな照明技術の開発はできないものかとの判断から、逸速くその開発、研究に着手し、長期に渡る試行錯誤と幾多の試作、実験とを繰り返してきた結果、今回、遂に新規な構造の照明装置を実現化することに成功したものであり、以下では、図面に示すこの発明を代表する実施例と共に、その構成を詳述することとする。                                                                                                
【課題を解決するための手段】
【０００８】
（発明の構成）
図面に示すこの発明を代表する実施例からも明確に理解されるように、この発明の照明装置は、基本的に次のような構成から成り立っている。
即ち、両端が開放した透光パイプを設け、該透光パイプ内には、同透光パイプの両端間内に収まる全長寸法としたベース板表面に、ラインＬＥＤ群、同裏面にＬＥＤ用電源を搭載した光源ユニットを収容し、該透光パイプの両端には、夫々透光パイプの環状端を上回る外郭形状の一対の板状体からなり、該透光パイプの環状端に対峙する内側壁に、同透光パイプの環状端が、該透光パイプ環状端の先端に対応する環状パッキンを介在し、嵌合可能な内外径および深さに設定した環状シール溝を刻設すると共に、該環状シール溝内径より内側に、当該光源ユニットベース板の端縁を嵌合可能な片支持溝を刻設した一対の防水蓋を、同環状シール溝内底部に環状パッキンを挟み込み、同片支持溝にベース板の端縁を挿入するよう組合せた上、各防水蓋環状シール溝を夫々該透光パイプの両端に向けて嵌合・押圧し、各環状パッキンを圧縮・密封状とする緊締機構を介して締付け状装着してなるものとした構成を要旨とする照明装置である。
【０００９】
この基本的な構成からなる照明装置を、より具体的なものとして示すと、両端が開放した円筒状透光パイプを設け、該透光パイプ内には、同透光パイプの両端間内に収まる全長寸法とした平板状ベース板表面に、ラインＬＥＤ群、同裏面にＬＥＤ用電源を搭載した光源ユニットを収容し、該透光パイプの両端には、夫々透光パイプの円環状端を上回る外径とした一対の円板状体からなり、該透光パイプの円環状端に対峙する内側壁に、同透光パイプの円環状端が、該透光パイプ円環状端の先端に対応する円環状パッキンを介在し、嵌合可能な内外径および深さに設定した円環状シール溝を刻設すると共に、該円環状シール溝内径より内側に、当該光源ユニットベース板の端縁を嵌合可能な一文字状の片支持溝を略水平に刻設した一対の防水蓋を、同円環状シール溝内底部に円環状パッキンを挟み込み、同一文字状の片支持溝にベース板の端縁を伝熱可能に挿入するよう組合せた上、各防水蓋環状シール溝を夫々該透光パイプの両端に向けて嵌合・押圧し、各円環状パッキンを圧縮・密封状とする緊締機構を介して締付け状装着してなるものとした構成からなる照明装置となる。                                                                                                              
【発明の効果】
【００１０】
以上のとおり、この発明の照明装置によれば、従前までのものとは違い、上記したとおりの固有の特徴ある構成から、洞道などの劣悪湿度環境下にあっても高い防浸性能を達成可能とする上、耐久性を高めると共に、生産コストを削減し、ＬＥＤ光源の採用によって経済的に設置、利用することができ、従来の蛍光灯型照明器具と置き換えた場合にも、消費電力を大幅削減し、同等以上の照明性能を発揮することができ、さらに、光源ユニットが発生する熱を、そのベース板から各防水蓋に効率的に伝達し、透光パイプ外に速やかに放熱可能なものとしたから、同光源ユニットの発熱源であるＬＥＤ用電源やラインＬＥＤ群などの過熱を効果的に阻止し、各部品類の劣化を防止し、耐久寿命を格段に延命化するものとなり、メンテナンスコストを削減し、より経済的な照明技術を実現化することができるという秀れた特徴が得られるものである。
【００１１】
加えて、各防水蓋の内側壁に刻設した環状シール溝内径より内側に、片支持溝を刻設したものとすることにより、透光パイプの両端に各防水蓋を装着すると共に、透光パイプ内の所望位置に光源ユニットベース板の端縁を嵌合状支持可能なものとしてあることから、部品構成を簡素化できると共に、組立工数を大幅削減して生産効率を一段と高めたものとすることが可能であり、しかも、緊締機構が、防水蓋の外側壁から同内側壁片支持溝に貫通する１個または複数個の取付け孔、各取付け孔に対応する光源ユニットベース板の端縁に穿設した１個または複数個のネジ孔および該防水蓋外側壁から各取付け孔を通り、ベース板端縁の各ネジ孔に螺合する１本または複数本の締付ネジからなるものとすることにより、同緊締機構を簡素化し、照明装置の一層の小型・軽量化を達成可能なものとすることができる利点が得られる。
【００１２】
そして、ベース板表面に搭載するラインＬＥＤ群が、同ベース板の全長寸法方向に延伸し、同ベース板の幅寸法方向両端がわに基端を支持し、上向き先端を互いに近接するよう断面八字状に傾斜させた一対の熱伝導性角度板の各外向き先端壁に沿って搭載してなるものとしたことにより、ラインＬＥＤ群の照射角度をより広角度に設定し、より広い範囲を照明可能なものとすることができる上、ラインＬＥＤ群を支持する各角度板が効率的に放熱すると共に、ベース板に伝熱することとなって、各ラインＬＥＤ群を効率的に冷却して、過熱によるＬＥＤの劣化をより確実に防止できるものとし、また、透光パイプが、光拡散材を混入してなる透明または半透明の合成樹脂製のものとすることにより、グレアを大幅に低減し、より安全且つ有効な照明を実現化することができるという効果も発揮するものとなっている。
【００１３】
さらに、各防水蓋の外側壁には、夫々熱伝導性の取付け脚を一体化し、各取付け脚のアース状接地部に電食防止用絶縁膜を被着してなるものとすることにより、各取付け脚を洞道壁面などに直接的に設置した場合にも、通電による電気分解を確実に阻止して腐食の発生を防止し、耐久寿命を大幅に延命化することができるという大きな効果を奏することになる。                                                                                                                  
【発明を実施するための最良の形態】
【００１４】
上記したとおりの構成からなるこの発明の実施に際し、その最良もしくは望ましい形態について説明を加えることにする。
透光パイプは、洞道などのように劣悪な高湿度環境下にあっても光源ユニットを透光可能且つ防浸可能に密閉可能とする機能を担い、両環状端の夫々に、環状パッキンを介在し、防水蓋を装着して密閉状とすることができるものとしなければならず、充分なグレア対策を実現化したものとすべきであり、少なくとも照明に必要な透過範囲、または全体に透光性を有するものとしなければならず、背面がわなどの照明光の照射が無い範囲などには透光性を有しないものとしたり、その内周壁に反射膜や反射板などを設けたりすることが可能であり、有色または無色、透明または半透明などのガラス製や合成樹脂製のものなどとし、多角断面形、曲面断面形、またはそれらの組合せからなる断面形など、様々な断面形状のものとすることができ、蛍光灯による照明灯具からの置き換え設置を対象とする場合には、後述する実施例にも示すように、円筒形のものとするのが良く、また、炭酸カルシウム、硫酸バリウム、その他の素材などを主成分とする光拡散顔料など、光拡散に有効な各種光拡散材の少なくとも何れか一種を混入してなる透明または半透明の合成樹脂製のものとするのが望ましい。
【００１５】
光源ユニットは、透光パイプ内に固定的に収納し、透光パイプを透過するようにして発光し、充分な照明機能を達成可能とする機能を担い、透光パイプ内に収容可能なベース板の表面に、ラインＬＥＤ群、同裏面にＬＥＤ用電源を夫々搭載したものとし、ベース板は、透光パイプの両端間内に収まる全長寸法に設定したものとしなければならず、後述する実施例に示すように、同ベース板の両端縁夫々を、防水蓋の内側に刻設した片支持溝に嵌合して固定的に支持可能なものとし、ＬＥＤ用電源やラインＬＥＤ群が発生する熱を、両防水蓋に効率的に伝達可能な、例えばアルミニウム合金や銅合金、ステンレス鋼などの金属、または、そうした金属類と同等か、それ以上の熱伝導率を有する素材製のものとするのが良く、ラインＬＥＤ群の支持角度を適宜角度に設定可能にすると共に、ＬＥＤ用電源からの熱が、ラインＬＥＤ群に悪影響を及ぼさないよう、ベース板表面に搭載するラインＬＥＤ群が、同ベース板の全長寸法方向に延伸し、同ベース板の幅寸法方向両端がわに基端を支持し、上向き先端を互いに近接するよう断面八字状に傾斜させた一対の熱伝導性角度板の各外向き先端壁に沿って搭載し、該ラインＬＥＤ群を、ベース板表面から浮上させた所定角度姿勢に固定的に支持したものとすることができ、さらにまた、ベース板や角度板、ラインＬＥＤ群のＬＥＤ基板やレンズホルダなどの壁面に、光反射膜や光反射層、光反射シート、光反射板などを適宜設けたものとすることができる。
【００１６】
角度板は、ベース板表面に対し、ラインＬＥＤ群を所定角度姿勢に浮上させた姿勢に固定的に支持可能であると共に、ラインＬＥＤ群が発する熱を放熱し、ベース板に効率的に伝熱可能とする機能を担い、ベース板表面に対する、ラインＬＥＤ群の取付け位置および取付け姿勢を所望の状態に正確に固定可能とするものとしなければならず、ネジ結合などによって脱着可能なものとするのが望ましく、ベース板と同様、熱伝導性に秀れた素材製のものとするのが良く、ベース板表面に固着する基端と、ラインＬＥＤ群を搭載する外向き先端壁との間に、互いの開き角度を調節可能とする支持角度調節機構を設けたものとすることができる。
【００１７】
ラインＬＥＤ群は、複数のチップＬＥＤを、透光パイプの全長方向に沿うように配列し、配列方向に渡り略均質な照明を可能とする機能を担い、透光パイプ内にチップＬＥＤを複数列配列可能としたものとすることができ、チップＬＥＤは、砲弾型の他に、表面実装型（ＳＭＤ：Ｓｕｒｆａｃｅ  Ｍｏｕｎｔ  Ｄｅｖｉｃｅ）、チップオンボード（Ｃｈｉｐ  Ｏｎ  Ｂｏａｒｄ）など、今後開発されるものを含め、様々なタイプのものを採用可能であり、後述する実施例に示すように、凹型断面形のレール状のものとしたレンズホルダの中央底部に沿って、複数個のチップＬＥＤを配列したＬＥＤ基板を搭載し、該レンズホルダ凹型断面形の両端間に、各チップＬＥＤに対応するよう複数個のレンズ部分を一体化した配光制御レンズを装着してなるものとし、断面八字状に傾斜させた一対の熱伝導性角度板の各外向き先端壁に沿って夫々ラインＬＥＤ群を搭載したものとすることができる。
【００１８】
ＬＥＤ用電源は、透光パイプ内に収容した各ラインＬＥＤ群各チップＬＥＤに対し、夫々照明に適した電力を供給可能とする機能を担い、外部からの電力を各ラインＬＥＤ群各チップＬＥＤに供給し、また、外部からの電力の一部または全部を充電し、各ラインＬＥＤ群各チップＬＥＤに供給し、または、外部電力を受けず、予め充電した電力のみを各ラインＬＥＤ群各チップＬＥＤに供給するようにするものなどとすることが可能であり、後述する実施例に示すように、ベース板のラインＬＥＤ群を搭載する表面とは反対がわとなる、同ベース板の裏面適所に搭載したものとするのが良い。
【００１９】
防水蓋は、透光パイプの両端を密閉状に封鎖するようにすると共に、光源ユニットの両端を所望の姿勢に固定支持可能とする機能を担い、透光パイプの環状端を上回る外郭形状とし、同防水蓋の内側壁に、透光パイプの環状端が、該透光パイプ環状端の先端に対応する環状パッキンを介在し、嵌合可能な内外径および深さに設定した環状シール溝を刻設すると共に、該環状シール溝内径より内側に、当該光源ユニットベース板の端縁を嵌合可能な片支持溝を刻設したものとしなければならず、光源ユニットベース板の端縁から伝わる熱を、効率的に外部に伝達可能な程度に熱効率に秀れた素材製のものとするのが望ましく、例えばアルミニウム合金や銅合金、ステンレス鋼などの金属または、そうした金属類と同等か、それ以上の熱伝導率を有する素材製のものとするのが良く、各防水蓋の外側壁には、夫々熱伝導性の取付け脚を一体化し、各取付け脚のアース状接地部には、電食防止用絶縁膜を被着してなるものとすることができる。
【００２０】
取付け脚のアース状接地部に被着した電食防止用絶縁膜は、充分な耐久性を有して電気的に絶縁可能とする機能を担い、電気絶縁性を有する合成樹脂被膜、塗料、合成ゴム、天然ゴム、その他の絶縁性カバー類やキャップ、嵌合状装着部品類などとすることが可能である。
【００２１】
環状シール溝は、防水蓋の内側壁に環状パッキンを介在し、透光パイプの環状端が密閉状に嵌合可能なものとする機能を担い、防水蓋の内側壁適所に、透光パイプ環状端の先端に、その環状端に対応させた環状パッキンを重ね合わせた場合の内外径、および、環状パッキンを含む該透光パイプ環状端の先端がわを含む深さに寸法設定した環状溝としなければならず、透光パイプ環状端と防水蓋とを緊締機構を介して締付け状装着した場合に、環状シール溝底部と該透光パイプ環状端との間に環状パッキンを挟み込み、圧縮・密封状として防水性を確保するものとすべきである。
【００２２】
環状パッキンは、防水蓋内側壁の環状シール溝底部に密着状となり、該環状シール溝底部と透光パイプ環状端との間に挟み込み、圧縮されて密着し、浸水不可能とする機能を担い、軟質合成樹脂、シリコーンゴム、合成ゴム、天然ゴムなどの防水性の弾性素材製のものとしなければならず、高湿度環境下に長期間晒されても防水性および弾力性を失わない品質のものを採用すべきである。
【００２３】
片支持溝は、防水蓋の内側壁であって、環状シール溝内径よりも内側に、光源ユニットベース板の一方端縁を嵌合状に片持ち支持可能とする機能を担っており、環状シール溝内径より内側に配して、防水環境下にあるよう設けなければならず、一対の防水蓋片支持溝によって該ベース板の両端縁を挟み込むよう嵌合し、安定に両端支持可能なものとすべきであり、該ベース板からの熱を防水蓋に効率的に伝達可能な接合状態を確保可能な形状のものとするのが望ましく、該ベース板の支持対象端縁の形状に一致するか、または、同支持対象端縁を安定に片持ち支持可能な溝形状のものとすべきであり、後述する実施例に示すように、光源ユニットベース板の支持対象端縁が平板状のものであれば、一文字状の溝形状とすることができる。
【００２４】
緊締機構は、透光パイプの両端夫々に、環状パッキンを介在させ、一対の防水蓋を装着し、各防水蓋内側壁間に、透光パイプ両端間を挟み込み、各環状パッキンを圧縮・密封状として防浸機能を与えると共に、各防水蓋内側壁間に、光源ユニットを安定支持可能とする機能を担い、各防水蓋を透光パイプ両端に充分な圧力をもって押圧し、その押圧状態を維持可能なものとしなければならず、透光パイプ両端に配した一対の防水蓋同士を互いに接近するよう締付け可能とする万力型のものや、一対の防水蓋各外周縁の互いに対応する適所にフランジ状接続部を設け、両者間をボルトナットなどで締付け可能としたもの、ボルトを透光パイプの一端がわから、光源ユニットに干渉せず、防水性を確保するよう縦貫し、他端から突出させたボルト先端にナットを螺着して、両端の防水蓋同士を互いに締め付けるよう密閉・一体化したもの、各防水蓋を透光パイプの一箇所または複数適所にネジ結合したものなどとすることができる外、バックルやベルト、スプリング、フック、施錠金具類、そのたの緊締可能な構造のものとすることができ、小型・軽量化するには、後述する実施例に示すように、防水蓋の外側壁から同内側壁片支持溝に貫通する１個または複数個の取付け孔、各取付け孔に対応する光源ユニットベース板の端縁に穿設した１個または複数個のネジ孔、および、該防水蓋外側壁から各取付け孔を通り、ベース板端縁の各ネジ孔に螺合する１本または複数本の締付ネジからなるものとするのが良い。
以下では、図面に示すこの発明を代表する実施例と共に、その構造について詳述することとする。                                                                                                            
【図面の簡単な説明】
【００２５】
図面は、この発明の照明装置の技術的思想を具現化した代表的な幾つかの実施例を示すものである。
【図１】照明装置を示す下面図である。
【図２】照明装置を示す正面図および左右側面図である。
【図３】照明装置を示す平面図である。
【図４】ハーネスを除いた照明装置を示す下面図である。
【図５】図４中Ａ−Ａ線部分を示す断面図である。
【図６】光源ユニットを示す側面図である。
【図７】光源ユニットを示す断面図である。
【図８】ラインＬＥＤ群を示す正面図および側面図である。
【図９】ラインＬＥＤ群を示す断面図である。
【図１０】照明装置の要部を示す正面図である。
【図１１】分解した照明装置を示す正面図である。
【図１２】図１０中の二点鎖線円Ｂ内の緊締機構を示す正面図である。
【図１３】一方の防水蓋を示す三面図である。
【図１４】他方の防水蓋を示す三面図である。
【図１５】環状パッキンを示す正面図および側面図である。
【図１６】透光パイプを示す正面図および側面図である。
【図１７】ベース板を示す正面図および下面図である。
【実施例１】
【００２６】
図１なし図１７に示す事例は、光源ユニット３を収容した透光パイプ２の両端２０，２０に、一対の板状体５，５の内側壁５０．５０に環状シール溝５２，５２を刻設すると共に、同環状シール溝５２，５２内径よりも内側に、片支持溝５３，５３を刻設した防水蓋５，５を配し、各環状シール溝５２，５２内底部に環状パッキン６，６を挟み込み、透光パイプ２の各環状端２０，２０を嵌合し、各片支持溝５３，５３に光源ユニット３ベース板３０の端縁３３，３３を挿入するよう組合せた上、各防水蓋５，５を夫々該透光パイプ２の両端２０，２０に向けて押圧し、各環状パッキン６，６を圧縮・密封状とする緊締機構７を介して締付け状装着してなるものとした、この発明の照明装置における代表的な一実施例を示すものである。
【００２７】
それら各図からも明確に把握できるとおり、この発明の照明装置１は、光拡散材を混入してなる半透明の合成樹脂製であって、両端２０，２０を開放した円筒状の透光パイプ２を設け、該透光パイプ２内には、同透光パイプ２の両端２０，２０間内に収まる全長寸法とした平板状・熱伝導性ベース板３０の表面３１に、ラインＬＥＤ群４、同裏面３２にＬＥＤ用電源４４を搭載した光源ユニット３を収容し、該光源ユニット３は、図６ないし図９に示してあるように、各ラインＬＥＤ群４，４が、凹型断面形のレール状のものとしたレンズホルダ４２の中央底部に沿って、複数個のチップＬＥＤ４１，４１，……を配列したＬＥＤ基板４０を搭載し、該レンズホルダ４２凹型断面形の両端間に、各チップＬＥＤ４１，４１，……に対応するよう複数個のレンズ部分を一体化した配光制御レンズ４３を装着してなるものとし、それらラインＬＥＤ群４，４を、当該ベース板３０の全長寸法方向に延伸し、同ベース板３０の幅寸法方向両端がわに基端３５，３５を夫々支持し、上向き先端３６，３６を互いに近接するよう断面八字状に傾斜させた一対の熱伝導性角度板３４，３４の各外向き先端壁３７，３７に沿って搭載してある。
【００２８】
図１ないし図５、図１０ないし図１７に示すように、当該透光パイプ２の両端２０，２０には、夫々透光パイプ２の円環状端２０，２０を上回る外径とした一対の熱伝導性（例えばアルミニウム製）・円板状体５，５からなり、該透光パイプ２の円環状端２０，２０に対峙する内側壁５０に、同透光パイプ２の円環状端２０，２０が、該透光パイプ２円環状端２０，２０の先端に対応する、防浸性を有するシリコーン樹脂製などの弾性素材製円環状・矩形断面形パッキン６を介在し、嵌合可能な内外径および深さに設定した円環状シール溝５２を刻設すると共に、該円環状シール溝５２内径より内側であって、同円環状シール溝５２中心よりも外がわとなる位置に、光源ユニット３ベース板３０の端縁３３を嵌合可能な一文字状の片支持溝５３を略水平に刻設した一対の防水蓋５，５を、各円環状シール溝５２，５２内底部に円環状パッキン６，６を挟み込み、各一文字状の片支持溝５３，５３間にベース板３０の端縁３３，３３を伝熱可能に挿入するよう組合せたものとしてある。
【００２９】
緊締機構７は、各防水蓋５，５の外側壁５１，５１から同内側壁５０，５０の各一文字状片支持溝５３，５３の中心を外した２箇所夫々に貫通するよう取付け孔７０，７０を穿設し、夫々の取付け孔７０，７０に対応する光源ユニット３ベース板３０の端縁３３，３３には、各一対のネジ孔７１，７１、および、該防水蓋５，５外側壁５１，５１から各取付け孔７０，７０を通り、ベース板３０端縁３３．３３の各ネジ孔７１，７１に螺合する、各防水蓋５，５夫々２本ずつの締付ネジ７２，７２，……からなるものとし、各締付ネジ７２，７２，……を締め付け、各防水蓋５，５を夫々該透光パイプ２の両端２０，２０に向けて押圧し、各円環状パッキン６を圧縮・密封状とするよう装着してなるものとしている。
【００３０】
一方の防水蓋５外側壁５１の中心には、ハーネス５５接続用のプラグ５６を設け、各防水蓋５，５の外側壁５１，５１には、適宜均衡する３箇所ずつにネジ穴５４，５４，……を穿設し、Ｌ字断面形の金属板製取付け脚８，８を取付けネジ８１，８１，……によって結合し、各取付け脚８，８のアース状接地部８０，８０には、夫々電気的絶縁性を有する合成樹脂製の電食防止用絶縁膜８２，８２を被着し、各取付け脚８，８アース状接地部８０，８０が、直接他物に電気的に接触しないようにし、当該照明装置１を洞道壁（図示せず）などに設置する場合には、透光パイプ２および各防水蓋５，５を洞道壁など他物に直接接触せず、各取付け脚８，８のアース状接地部８０，８０の電食防止用絶縁膜８２，８２を介して接地し、設置用ネジ８３，８３，……などにて電気的絶縁状態に固定するものとしてある。
【００３１】
（実施例１の作用・効果）
以上のとおりの構成からなるこの発明の照明装置１は、図１ないし図１７に示すように、光源ユニット３にラインＬＥＤ群４，４を搭載したものとしたから、これを洞道内に設置すると、従来の蛍光灯利用の照明器具に比較して、２５％以上の省エネルギーを達成し、寿命を５倍以上に延命化することができ、年間を通じて湿度が高く、雨季には水没する事が有るような環境下であっても、透光パイプ内の水密性を保ち、安定した照明を実現化することができるものとなり、光源ユニット３ベース板３０の両端縁３３，３３に嵌合したアルミニウム製の防水蓋５，５、および、各防水蓋５，５の外側壁５１，５１に結合した金属板製取付け脚８，８が、夫々ヒートシンクの役割を果たし、より効率的な放熱を可能とし、光源ユニット３の過熱を防止するものとなり、しかも、各取付け脚８，８アース状接地部８０，８０が、電食防止用絶縁膜８２，８２の被着によって設置用ネジ８３，８３，……などの他物に電気的に接触するのを阻止し、電食による劣化を防止可能なものとすることができる。
【００３２】
（結  び）
叙述の如く、この発明の照明装置は、その新規な構成によって所期の目的を遍く達成可能とするものであり、しかも製造も容易で、従前からの蛍光灯型の照明技術に比較して消費電力を大幅に削減すると共に、耐久寿命を格段に延命化し、軽量且つ低廉化して遥かに経済的なものとすることができる上、生産効率およびメンテナンス効率を一段と高めたものとすることができるから、洞道などの劣悪湿度環境下の照明を、できるだけ経済的に維持・管理したいと考える施設管理業界はもとより、経済的な照明装置の設置や、老朽化した旧型照明機器を、信頼性に秀れた新型の照明灯具に交換する建設業界や建築施設のメンテナンス業界などにおいても高く評価され、広範に渡って利用、普及していくものになると予想される。                                                                                                        
【符号の説明】
【００３３】
１      照明装置
２      透光パイプ
２０    同  環状端（両端）
３      光源ユニット
３０    同  ベース板
３１    同  表面
３２    同  裏面
３３    同  端縁
３４    同  角度板
３５    同  基端
３６    同  先端
３７    同  外向き先端壁
４      ラインＬＥＤ群
４０    同  ＬＥＤ基板
４１    同  チップＬＥＤ
４２    同  レンズホルダ
４３    同  配光制御レンズ
４４    同  ＬＥＤ用電源
５      防水蓋（板状体）
５０    同  内側壁
５１    同  外側壁
５２    同  環状シール溝
５３    同  片支持溝
５４    同  ネジ穴
５５    同  ハーネス
５６    同  プラグ
６      環状パッキン
７      緊締機構
７０    同  取付け孔
７１    同  ネジ孔
７２    同  締付ネジ
８      取付け脚
８０    同  アース状接地部
８１    同  取付けネジ
８２    同  電食防止用絶縁膜
８３    同  設置用ネジ                                                                                              
【図１】
2015179567.tif 000003
【図２】
2015179567.tif 000004
【図３】
2015179567.tif 000005
【図４】
2015179567.tif 000006
【図５】
2015179567.tif 000007
【図６】
2015179567.tif 000008
【図７】
2015179567.tif 000009
【図８】
2015179567.tif 000010
【図９】
2015179567.tif 000011
【図１０】
2015179567.tif 000012
【図１１】
2015179567.tif 000013
【図１２】
2015179567.tif 000014
【図１３】
2015179567.tif 000015
【図１４】
2015179567.tif 000016
【図１５】
2015179567.tif 000017
【図１６】
2015179567.tif 000018
【図１７】
2015179567.tif 000019